(57)【要約】【課題】ゲル状芳香剤が収縮して底部分に偏在した場合でも、揮散量の著しい減少を生じることなく、揮散成分の揮散による所望の芳香作用を効果的に保持することのできる芳香剤容器を提供する。【解決手段】揮散成分を揮散しつつ水分を分離しながら収縮するゲル状芳香剤１２を収容した箱状の容器本体１１を含む芳香剤容器１０であって、容器本体１１は、底部１３と、該底部１３の周縁部１３ａから立設する周壁部１４と、揮散開口１５が形成される天面部１６とを備えており、底部１３は、周縁部１３ａとの間に肩部１７を介在させて下段底部１８が設けられた２段構造を有しており、且つ肩部１７には、底部揮散開口形成部１９が、使用前には閉塞開放手段２０によって閉塞された状態で設けられている。【選択図】図２
2010253052.tif 000002
【特許請求の範囲】
【請求項１】
揮散成分を揮散しつつ水分を分離しながら収縮するゲル状芳香剤を収容した箱状の容器本体を含む芳香剤容器であって、前記容器本体は、底部と、該底部の周縁部から立設する周壁部と、揮散開口が形成される天面部とを備えており、前記底部は、前記周縁部との間に肩部を介在させて下段底部が設けられた２段構造を有しており、且つ前記肩部又は前記下段底部に縁部を介して直接接続している前記周壁部には、底部揮散開口形成部が、使用前には閉塞開放手段によって閉塞された状態で設けられている芳香剤容器。
【請求項２】
前記肩部は、前記底部の周縁部の全周に亘って連続して設けられている請求項１記載の芳香剤容器。
【請求項３】
前記容器本体は、略矩形又は略正方形の平面形状を有している請求項１又は２記載の芳香剤容器。
【請求項４】
前記略矩形又は略正方形の平面形状の一辺に沿った前記周壁部に、周壁部揮散開口が形成されており、少なくと前記一辺と対向する対向辺に沿った前記肩部に、前記底部揮散開口形成部が設けられている請求項３記載の芳香剤容器。
【請求項５】
周囲に外側揮散開口が設けられたカバー体を備えており、前記ゲル状芳香剤を収容した前記容器本体を該外カバーの内部に装着して用いる請求項１〜４のいずれかに記載の芳香剤容器。
【発明の詳細な説明】
【技術分野】
【０００１】
本発明は、芳香剤容器に関し、特に、ゲル状芳香剤を収容した箱状の容器本体を含む芳香剤容器に関する。
【背景技術】
【０００２】
芳香剤、消臭剤等の薬剤を吸収した粒状ゲルを収容して、揮散成分を揮散させる容器が種々開発されている（例えば、特許文献１参照）。これらのゲル状の芳香剤等を収容した容器では、ゲル状の芳香剤等は、一般に揮散成分を揮散しつつ界面活性剤や溶剤等の水分を分離させるものであり、また揮散成分は、容器の上部に設けられた揮散開口から揮散させるようになっている。
【先行技術文献】
【特許文献】
【０００３】
【特許文献１】特開２００７−１７５３１０号公報
【発明の概要】
【発明が解決しようとする課題】
【０００４】
一方、ゲル状の芳香剤等の薬剤は、揮散成分を揮散しつつ収縮するものでもあることから、時間の経過と共に揮散成分が減少して収縮すると、容器の底部分にゲル状の芳香剤等が偏在した状態となり、揮散成分自体の揮散量が減少すると共に、底部分に偏在したゲル状の芳香剤等と容器の上部の揮散開口との間の距離が遠くなることによって、揮散開口からスムーズに揮散成分を揮散さることができなくなるため、揮散成分の揮散による芳香作用等が著しく低下することになる。
【０００５】
本発明は、ゲル状芳香剤が収縮して底部分に偏在した場合でも、揮散量の著しい減少を生じることなく、揮散成分の揮散による所望の芳香作用を効果的に保持することのできる芳香剤容器を提供することを目的とする。
【課題を解決するための手段】
【０００６】
本発明は、揮散成分を揮散しつつ水分を分離しながら収縮するゲル状芳香剤を収容した箱状の容器本体を含む芳香剤容器であって、前記容器本体は、底部と、該底部の周縁部から立設する周壁部と、揮散開口が形成される天面部とを備えており、前記底部は、前記周縁部との間に肩部を介在させて下段底部が設けられた２段構造を有しており、且つ前記肩部又は前記下段底部に縁部を介して直接接続している前記周壁部には、底部揮散開口形成部が、使用前には閉塞開放手段によって閉塞された状態で設けられている芳香剤容器を提供することにより、上記目的を達成したものである。
【発明の効果】
【０００７】
本発明の芳香剤容器によれば、ゲル状芳香剤が収縮して底部分に偏在した場合でも、揮散量の著しい減少を生じることなく、揮散成分の揮散による所望の芳香作用を効果的に保持することができる。
【図面の簡単な説明】
【０００８】
【図１】本発明の好ましい一実施形態に係る芳香剤容器の分解斜視図である。
【図２】（ａ）は本発明の好ましい一実施形態に係る芳香剤容器の容器本体の正面図、（ｂ）は（ａ）のＡ−Ａ線断面図、（ｃ）は底面図である。
【図３】図２（ｂ）のＢ部拡大斜視図である。
【図４】（ａ）は底部揮散開口を形成する前の状態の図２（ｂ）のＢ部拡大断面図、（ｂ）は底部揮散開口を形成した状態の図２（ｂ）のＢ部拡大断面図である。
【図５】容器本体の分解斜視図である。
【図６】縦にした使用状態を説明する容器本体の側面図である。
【図７】容器本体の他の形態を例示する底部側から視た斜視図である。
【図８】容器本体のさらに他の形態を例示する底部側から視た斜視図である。
【図９】（ａ），（ｂ）は、底部揮散開口形成部が設けられた肩部の他の形態を例示する拡大略示断面図である。
【発明を実施するための形態】
【０００９】
本発明の好ましい一実施形態に係る芳香剤容器１０は、図１に示すように、好ましくは、球形粒状のゲル状芳香剤１２（図５参照）を多数収容した箱状の容器本体１１と、容器本体１１を着脱可能に収容するカバー体２２とからなり、容器本体１１に形成された揮散開口から揮散成分を揮散させて、芳香作用を発揮させるものである。また、本実施形態の芳香剤容器１０は、揮散成分の揮散が進行してゲル状芳香剤１２が収縮することにより、容器本体１１の底部分にゲル状芳香剤１２が偏在した場合でも、揮散量が著しく減少することを回避して所望の芳香作用を持続させる機能を備えると共に、ゲル状芳香剤１２から分離した界面活性剤や溶剤等の水分が容器本体１１から漏れ出ることを防止できる機能を備えている。
【００１０】
すなわち、本実施形態の芳香剤容器１０は、揮散成分を揮散しつつ水分を分離しながら収縮するゲル状芳香剤１２を収容した箱状の容器本体１１を含んでおり、容器本体１１は、底部１３と、該底部１３の周縁部１３ａから立設する周壁部１４と、揮散開口１５が形成される天面部１６とを備えており、底部１３は、図２（ａ）〜（ｃ）に示すように、周縁部１３ａとの間に肩部１７を介在させて下段底部１８が設けられた２段構造を有しており、且つ肩部１７には、底部揮散開口形成部１９が、使用前には閉塞開放手段２０によって閉塞された状態で設けられている。
【００１１】
また、本実施形態では、周囲に外側揮散開口２１が設けられたカバー体２２を備えており、ゲル状芳香剤１２を収容した容器本体１１をカバー体２２の内部に装着して用いることができるようになっている。
【００１２】
本実施形態では、容器本体１１は、図２（ａ）〜（ｃ）及び図５に示すように、好ましくは合成樹脂製の成形品であって、角部が弧状に面取りされた略正方形の平面形状を有する箱状に形成される。また容器本体１１は、略正方形の底部１３と、底部１３の弧状に面取りされた周縁部１３ａから上方に連続して立設する周壁部１４とからなり、周壁部１４は、上方に向けて外側にやや傾いた状態で立設していると共に、周壁部１４の上端の周縁リブ１４ａによって縁取りされた天面部１６は、揮散開口１５を形成可能な開口面となっている。例えば、ゲル状芳香剤１２を収容した後に、開口面となった天面部１６を覆って、複数の揮散開口１５が開口形成された被覆シート２３を、周壁部１４の上端の周縁リブ１４ａに貼着支持させて取り付けることにより、天面部１６に略均等に分散配置された複数の揮散開口１５が容易に形成されることになる。
【００１３】
また、本実施形態では、２段構造となった略正方形の底部１３は、好ましくは、その周縁部１３ａの全周に亘って、当該周縁部１３ａと下段底部１８との間に介在する平坦な肩部１７が、略同じ幅で環状に連続して設けられている。これによって、下段底部１８は、肩部１７によって周囲を囲まれた底部１３の中央部分に、底部１３と同芯の相似形状に配置されると共に、下段底部１８は、肩部１７から一段下がって凹状に設けられることにより、ゲル状芳香剤１２から分離した水分を液溜めする液溜り部２４（図２（ｃ）参照）を形成することになる。
【００１４】
さらに、本実施形態では、好ましくは略正方形の底部１３の４辺に沿った肩部１７には、各々、底部揮散開口形成部１９が、周縁部１３ａとの間に間隔をおいた位置に、閉塞開放手段２０によって閉塞された状態で設けられている。本実施形態では、底部揮散開口形成部１９は、図３及び図４（ａ），（ｂ）に示すように、肩部１７の幅方向略中央部分から垂直下方に突出して設けられた、閉塞開放手段２０としての帯板形状のリブ板２５の基端部２５ａの、周囲を薄肉部２６によって囲まれる部分によって形成されている。すなわち、リブ板２５の基端部２５ａに近接する周囲の部分に切込み２７を入れることで形成された、リブ板２５を傾倒させることにより破断する易破断部としての薄肉部２６によって囲まれる、縦長帯状の部分が、底部揮散開口形成部１９として設けられることになる。
【００１５】
これによって、例えば芳香剤容器１０が使用される前の、薄肉部２６が破断することなく残っていて、閉塞開放手段２０としてのリブ板２５の基端部２５ａによって底部揮散開口形成部１９が閉塞されている状態から（図４（ａ）参照）、例えば芳香剤容器１０の使用時にリブ板２５に手指を掛けて傾倒させることにより、例えば傾倒する側とは反対に位置する薄肉部２６が破断することによって、底部揮散開口形成部１９による底部揮散開口２８が、容器本体１１の底部１３に容易に形成されることになる（図４（ｂ）参照）。
【００１６】
なお、底部揮散開口形成部１９及び閉塞開放手段２０は、上述のリブ板２５と薄肉部２６とからなるものである必要は必ずしもなく、例えば肩部１７を肉厚方向に貫通する貫通開口部を底部揮散開口形成部１９として形成すると共に、この貫通開口部を閉塞して剥離可能な貼着シートを貼り付けておき、この貼着シートを閉塞開放手段２０として芳香剤容器１０の使用時に引き剥がすことによって、貫通開口部による揮散開口を形成することもできる。
【００１７】
また、本実施形態では、閉塞開放手段２０としてのリブ板２５は、底部１３の肩部１７から、下段底部１８の突出高さよりも低い高さで下方に突出して設けられている。リブ板２５が下段底部１８よりも低い高さで下方に突出して設けられていることにより、リブ板２５の折損を効果的に回避することが可能になる。
【００１８】
そして、本実施形態では、略正方形の平面形状を有する容器本体１１の周壁部１４の一部には、図１及び図２（ａ），（ｃ）に示すように、周壁部揮散開口２９が開口形成されている。また、本実施形態では、略正方形の底部１３の４辺に沿った肩部１７に各々底部揮散開口形成部１９が設けられていることにより、周壁部揮散開口２９が形成された一辺と対向する対向辺に沿った肩部１７にも、底部揮散開口形成部１９が設けられていることになる。これによって、例えば図６に示すように、容器本体１１の周壁部揮散開口２９が形成された周壁部１４を上にして、立てた状態で芳香剤容器１０を使用した場合でも、上面の周壁部揮散開口２９から揮散成分を揮散させることが可能になると共に、下端部の底部揮散開口形成部１９による底部揮散開口２８からも揮散成分を揮散させることが可能になり、且つ底部揮散開口形成部１９が周縁部１３ａとの間に間隔をおいた位置に設けられていることから、当該底部揮散開口形成部１９よりも下方の部分が液溜り部２４’として機能して、後述する容器本体１１の底部１３を下側に配置した平置き状態で芳香剤容器１０を使用した場合と同様の作用効果が奏されることになる。
【００１９】
また、本実施形態では、容器本体１１が装着されるカバー体２２は、図１に示すように、好ましくは合成樹脂製の成形品であって、蓋部材３０によって開閉可能な中空六面体形状の箱体として形成される。カバー体２２の周囲には、蓋部材３０の部分も含めて外側揮散開口２１が設けられており、容器本体１１から揮散された揮散成分を、これらの外側揮散開口２１を介して外気に揮散させることができるようになっている。
【００２０】
ここで、本実施形態では、カバー体２２の内側の底面角部には、蓋部材３０によって開閉可能な開口面から奥部に向って延設して、一対の位置決めガイド台３１が両側に設けられている。芳香剤容器１０の使用時に、例えば容器本体１１の閉塞開放手段２０としてのリブ板２５を傾倒させて底部揮散開口２８を形成した後に、底部１３の当該底部揮散開口２８よりも外側の部分を一対の位置決めガイド台３１の上面に各々載置した状態で、容器本体１１をカバー体２２に装着して、底部揮散開口２８を一対の位置決めガイド台３１の各対向面３１ａの内側に配置させることにより、装着された容器本体１１の周囲には、カバー体２２との間に、揮散成分をスムーズに通過させるスペースが容易に確保されることになる。
【００２１】
そして、上述の構成を備える本実施形態の芳香剤容器１０によれば、ゲル状芳香剤１２が収縮して容器本体１１の底部分に偏在した場合でも、揮散量の著しい減少を生じることなく、揮散成分の揮散による所望の芳香作用を効果的に保持することが可能になる。
【００２２】
すなわち、本実施形態によれば、容器本体１１の底部１３は、周縁部１３ａとの間に肩部１７を介在させて下段底部１８が設けられた２段構造を有しており、且つ肩部１７には、底部揮散開口形成部１９が設けられているので、平置き状態で使用された際に、下段底部１８よりも一段高い肩部１７に底部揮散開口形成部１９による底部揮散開口２８が形成されることにより、下段底部１８を液溜り部２４としてゲル状芳香剤１２から分離した水分を漏れ出させることなく液溜めしつつ、揮散開口１５，２９から容器本体１１の内部を経て底部揮散開口２８を通過する空気の流れを生じさせることが可能になる。これによって、ゲル状芳香剤１２が収縮して容器本体１１の底部分に偏在した場合でも、ゲル状芳香剤１２の全体に空気を接触させや易くすることが可能になると共に、底部揮散開口２８からフレッシュな香りを揮散させて、揮散成分の揮散による所望の芳香作用を効果的に保持することが可能になる。これは、ゲル状芳香剤１２が収縮しても、底部揮散開口２８付近にゲル状芳香剤１２が常に存在するからである。
【００２３】
液溜り部２４の深さＨは、ゲル状芳香剤１２から分離する水分量の他、薬剤等を吸収させる前の粒状吸収体の直径によっても定められる。すなわち、液溜り部２４に粒状吸収体を適量充填した後に容器本体１１の上部より薬剤等を充填する際に、充填される薬剤の勢いにより粒状吸収体が容器本体１１から飛び出さない程度の深さＨが必要である。例えば、薬剤等を吸収させる前の粒状吸収体の直径が２〜３ｍｍの場合には、深さＨが４〜１０ｍｍが好ましい。
【００２４】
図７は、容器本体の他の形態を例示するものである。図７に示す容器本体１１’では、図２（ａ）〜（ｃ）に示す上述の容器本体１１と略同様の構成を備える他、２段構造となった略正方形の底部１３’は、周壁部１４’に周壁部揮散開口２９’が開口形成された一辺を除く三辺に沿った部分においてのみ、周縁部１３ａ’と下段底部１８’との間に平坦な肩部１７’が介在して設けられている点で、図２（ａ）〜（ｃ）に示す容器本体１１と相違している。そして、周壁部１４’に周壁部揮散開口２９’が開口形成された一辺に沿った縁部１３０ａ’は、肩部を介在させることなく、下段底部１８’と同じ高さに配置されて当該下段底部１８’に直接に接続している。
【００２５】
図７に示す容器本体１１’では、一段高くなった肩部１７’が底部１３’の三辺に沿ってコの字状に設けられていることにより、上述のカバー体２２に装着して用いる際に、カバー体２２への挿入方向を明確にすることが可能になる。また、容器本体１１’をカバー体２２に装着したまま、図６に示す容器本体１１’を立てた状態で芳香剤容器１０を使用する場合でも、蓋部材３０を上面に配置させることにより、周壁部揮散開口２９’を上に向けて芳香剤容器１０が設置されるように容易に誘導することが可能になる。
【００２６】
詳述すると、容器本体１１’は、略矩形又は略正方形（本実施形態では略正方形）の平面形状を有すると共に、略矩形又は略正方形の一辺に沿った縁部１３０ａ’から立設する周壁部１４’に周壁部揮散開口２９’が形成されている。また、容器本体１１’の底部１３’の周縁部１３ａ’と下段底部１８’との間の肩部１７’は「コの字」を形成している。すなわち、肩部１７’は、周壁部揮散開口２９’が形成された周壁部１４’の一辺と下段底部１８’を挟んで対向する側を「コの字」の底辺として、連続した三辺に沿って形成されている。この「コの字」の肩部１７’が容器本体１１’の装着方向規制手段２００となる。一方、カバー体２２の内側の底面角部に、蓋部材３０によって開閉可能な開口面から奥部に向って延設する一対の位置決めガイド台３１が両側に設けられている。当該位置決めガイド台３１が、装着される容器本体１１’の肩部１７’と係合して、カバー体２２の装着方向規制手段２００となる。
【００２７】
図８は、容器本体のさらに他の形態を例示するものである。図８に示す容器本体１１”では、図２（ａ）〜（ｃ）に示す上述の容器本体１１と略同様の構成を備える他、２段構造となった略正方形の底部１３”は、周壁部１４”に周壁部揮散開口２９”が開口形成された一辺を除く三辺に沿った部分においてのみ、周縁部１３ａ”と下段底部１８”との間に平坦な肩部１７”が介在して設けられている点、及びこれらの肩部１７”には、底部揮散開口を形成するための底部揮散開口形成部が設けられていない点で、図２（ａ）〜（ｃ）に示す容器本体１１と相違している。そして、図８に示す容器本体１１”では、周壁部１４”に周壁部揮散開口２９”が開口形成された一辺に沿った縁部１３０ａ”は、肩部を介在させることなく、下段底部１８”と同じ高さに配置されて当該下段底部１８”に直接に接続している。また、周壁部揮散開口２９”は、下段底部１８”に近接する部分２９ａ”まで延設（即ち、周壁部揮散開口２９”は、その一端２９ａ”が周壁部１４”の高さ方向において、縁部１３０ａ”と肩部１７”の間まで延設）しており、この下段底部１８”に近接する部分２９ａ”は、底部揮散開口形成部１９”として機能することになる。
【００２８】
すなわち、周壁部揮散開口２９”の下段底部１８”に近接する部分２９ａ”は、他の部分と共に、芳香剤容器１０が使用に供されるまでの間、例えば貼着シートで覆われて閉塞されていることで、当該周壁部揮散開口２９”から揮散成分が揮散されないようになっている。また芳香剤容器１０の使用時には、この貼着シートを閉塞開放手段として引き剥がすことによって、下段底部１８”に近接する部分２９ａ”による底部揮散開口を、他の部分による周壁部揮散開口２９”と共に形成することができるようになっている。
【００２９】
図８に示す容器本体１１”では、これを平置き状態として芳香剤容器１０を使用する際に（図２（ａ）参照）、底部１３”の下段底部１８”に縁部１３０ａ”を介して直接接続している周壁部１４”には、周壁部揮散開口２９”の下段底部１８”に近接する部分２９ａ”によって、底部揮散開口が形成されることになる。これによって、肩部１７”に底部揮散開口や底部揮散開口形成部を設けなくても、揮散開口１５，２９”から容器本体１１”の内部を経て周壁部揮散開口２９”の下段底部１８”に近接する部分２９ａ”（底部揮散開口）を通過する空気の流れを生じさせることが可能になり、上述と同様の作用効果を奏することになる。なお、前述と同様に「コの字」の肩部１７”が容器本体１１”の装着方向規制手段２００となる。
【００３０】
本発明は上記実施形態に限定されることなく種々の変更が可能である。例えば、容器本体を外カバーの内部に装着して用いる必要は必ずしも無く、容器本体単独で芳香剤容器として用いることもできる。また、容器本体は、略矩形又は略正方形の平面形状を有している必要は必ずしも無く、肩部は、底部の周縁部の全周に亘って連続して設けられている必要は必ずしも無い。さらに、図９（ａ），（ｂ）に示すように、肩部１７ａを液溜り部２４に向って下方に傾斜する傾斜面として形成することもでき、これによって、収縮したゲル状芳香剤１２を、肩部１７ａに滞留させることなく、底部揮散開口２８からこぼれ落ちるのを回避しつつ液溜り部２４に向けてスムーズに落下させることが可能になる。さらにカバー体は、中空六面体形状の箱体である必要はなく、中空部分に容器本体を装着できれば、カバー体の外形が例えば楕円柱状等の中空六面体形状以外の形状であっても良い。
【符号の説明】
【００３１】
１０  芳香剤容器
１１，１１’，１１”  容器本体
１２  ゲル状芳香剤
１３，１３’，１３”  底部
１３ａ，１３ａ’，１３ａ”  底部の周縁部
１３０ａ’，１３０ａ”  縁部
１４，１４’，１４”  周壁部
１５  揮散開口
１６  天面部
１７，１７’，１７”，１７ａ  肩部
１８，１８’，１８”  下段底部
１９，１９’，１９”  底部揮散開口形成部
２０  閉塞開放手段
２１  外側揮散開口
２２  カバー体
２３  被覆シート
２４，２４’  液溜り部
２５  リブ板
２５ａ  リブ板の基端部
２６  薄肉部
２７  切込み
２８  底部揮散開口
２９，２９’，２９”  周壁部揮散開口
２９ａ”  周壁部揮散開口の下段底部に近接する部分
３０  蓋部材
３１  位置決めガイド台
２００  装着方向規制手段
【図１】
2010253052.tif 000003
【図２】
2010253052.tif 000004
【図３】
2010253052.tif 000005
【図４】
2010253052.tif 000006
【図５】
2010253052.tif 000007
【図６】
2010253052.tif 000008
【図７】
2010253052.tif 000009
【図８】
2010253052.tif 000010
【図９】
2010253052.tif 000011